(57)【要約】無線基地局が収容するセルから移動端末を適切に追い出す。制御局（１０）は、複数の移動端末（３０）の夫々の移動速度を示す速度情報を取得する取得手段（１７１）と、移動速度が所定の第１基準を満たす移動端末を選択する選択手段（１７３）と、選択された移動端末がセル（２９）の対象外となるように無線基地局（２０）の動作を制御する制御手段（１７４）とを備える。
2012020485.tif 000002
【特許請求の範囲】
【請求項１】
複数の移動端末を収容するセルを備える無線基地局と当該無線基地局を制御する制御局とを備える無線通信システムであって、
前記制御局は、
前記複数の移動端末の夫々の移動速度を示す速度情報を取得する取得手段と、
前記複数の移動端末のうち前記速度情報が示す移動速度が所定の第１基準を満たす移動端末を選択する選択手段と、
選択された前記移動端末が前記セルの対象外となるように前記無線基地局の動作を制御する制御手段と
を備えることを特徴とする無線通信システム。
【請求項２】
前記第１基準を満たす移動端末は、(i)前記速度情報が示す移動速度が所定の第１閾値よりも小さい移動端末、及び(ii)前記速度情報が示す移動速度が、選択されない移動端末と比較して小さい移動端末の少なくとも一方であることを特徴とする請求項１に記載の無線通信システム。
【請求項３】
前記取得手段は、前記複数の移動端末の夫々が接続中のセルからの受信電力を前記複数の移動端末の夫々毎に示す電力情報を更に取得し、
前記選択手段は、前記複数の移動端末のうち、前記速度情報が示す移動速度が前記第１基準を満たし、且つ前記電力情報が示す接続中のセルからの受信電力が所定の第２基準を満たす移動端末を選択することを特徴とする請求項１に記載の無線通信システム。
【請求項４】
前記第２基準を満たす移動端末は、(i)前記電力情報が示す接続中のセルからの受信電力が所定の第２閾値よりも小さい移動端末、及び(ii)前記電力情報が示す接続中のセルからの受信電力が、選択されない移動端末と比較して小さい移動端末の少なくとも一方であることを特徴とする請求項３に記載の無線通信システム。
【請求項５】
前記取得手段は、前記複数の移動端末の夫々と非接続のセルであって且つ前記夫々の移動端末の周辺のセルからの受信電力を前記複数の移動端末の夫々毎に示す電力情報を更に取得し、
前記選択手段は、前記複数の移動端末のうち、前記速度情報が示す移動速度が前記第１基準を満たし、前記電力情報が示す接続中のセルからの受信電力が前記第２基準を満たし、且つ前記電力情報が示す非接続であって且つ周辺のセルからの受信電力が所定の第３基準を満たす移動端末を選択することを特徴とする請求項３に記載の無線通信システム。
【請求項６】
前記第３基準を満たす移動端末は、(i)前記電力情報が示す非接続であって且つ周辺のセルからの受信電力が所定の第３閾値よりも大きい移動端末、及び(ii)前記電力情報が示す非接続であって且つ周辺のセルからの受信電力が、選択されない移動端末と比較して大きい移動端末の少なくとも一方であることを特徴とする請求項５に記載の無線通信システム。
【請求項７】
前記取得手段は、前記複数の移動端末の夫々の地理的位置を示す位置情報を更に取得し、
前記選択手段は、前記複数の移動端末のうち、前記速度情報が示す移動速度が前記第１基準を満たし、且つ前記位置情報が示す位置が所定の第４基準を満たす移動端末を選択することを特徴とする請求項１に記載の無線通信システム。
【請求項８】
前記第４基準を満たす移動端末は、(i)前記位置情報が示す位置が、周辺のセルの境界から所定の第４閾値以上離れていない移動端末、及び(ii)前記位置情報が示す位置が、選択されない移動端末と比較して、周辺のセルの近傍となる移動端末の少なくとも一方であることを特徴とする請求項７に記載の無線通信システム。
【請求項９】
複数の移動端末を収容するセルを備える無線基地局を制御する制御局であって、
前記複数の移動端末の夫々の移動速度を示す速度情報を取得する取得手段と、
前記複数の移動端末のうち前記速度情報が示す移動速度が所定の第１基準を満たす移動端末を選択する選択手段と、
選択された前記移動端末が前記セルの対象外となるように前記無線基地局の動作を制御する制御手段と
を備えることを特徴とする制御局。
【請求項１０】
複数の移動端末を収容するセルを備える無線基地局を制御する制御方法であって、
前記複数の移動端末の夫々の移動速度を示す速度情報を取得する取得工程と、
前記複数の移動端末のうち前記速度情報が示す移動速度が所定の第１基準を満たす移動端末を選択する選択工程と、
選択された前記移動端末が前記セルの対象外となるように前記無線基地局の動作を制御する制御工程と
を備えることを特徴とする制御方法。
【発明の詳細な説明】
【技術分野】
【０００１】
本発明は、例えば無線基地局を制御する制御局及び制御方法、並びに無線基地局と移動端末と制御局等を備える無線通信システムの技術分野に関する。
【背景技術】
【０００２】
携帯電話システム等の無線通信システムでは、無線通信システムの構成管理や性能最適化や障害対処の自動化を図るべく、ＳＯＮ（Self Organization Network）の提案が進められている。例えば、ＳＯＮの一例として、トラフィックが集中している無線基地局及びその周辺の無線基地局の夫々の送信電力の調整等を行うことで、トラフィックの均一化を図る手法が提案されている。具体的には、ＭＭＥ等の制御局の制御の下に、無線基地局のトラフィック量が監視されると共に、トラフィックが集中している無線基地局が収容している移動端末が周辺の無線基地局によって新たに収容されるように無線基地局の送信電力が調整される。つまり、トラフィックが集中している無線基地局が収容している移動端末が周辺の無線基地局が収容するセルの対象外となる（言い換えれば、セルの範囲外に位置する）ように、無線基地局の送信電力が調整される。
【先行技術文献】
【非特許文献】
【０００３】
【非特許文献１】３ＧＰＰ  ＴＳ３６．３０５  ｖ９．１．０  Stage 2 functional specification of UE positioning in E-UTRAN
【非特許文献２】３ＧＰＰ  ＴＲ３６．９０２  ｖ１．２．０  E-UTRAN SON use cases and solutions
【発明の概要】
【発明が解決しようとする課題】
【０００４】
無線基地局のセルに収容されている移動端末の中には、他の移動端末と比較して高速で移動する移動端末が存在することがある。従って、上述したＳＯＮの技術によれば、高速で移動する移動端末が、トラフィックが集中している無線基地局のセルの対象外となることがある。しかしながら、高速で移動している移動端末は、移動速度が高速であるがゆえに、トラフィックが集中している無線基地局のセルの対象外となった後に再度元の無線基地局のセル内に戻って来てしまいかねない。或いは、高速で移動している移動端末は、移動速度が高速であるがゆえに、無線基地局の送信電力を調整しなくとも周辺の無線基地局のセル内に移動している（つまり、出ていく）可能性がある。この場合、無線基地局の送信電力を調整する動作の有益性が低下してしまいかねない。そればかりか、無線基地局の送信電力を調整する動作そのものが無駄な動作となってしまうおそれもある。【０００５】
本発明が解決しようとする課題には上記のようなものが一例として挙げられる。本発明は、例えば適切に移動端末を無線基地局が収容するセルの対象外とすることが可能な制御局及び制御方法、並びに無線通信システムを提供することを目的とする。
【課題を解決するための手段】
【０００６】
上記課題は、複数の移動端末を収容するセルを備える無線基地局と当該無線基地局を制御する制御局とを備える無線通信システムによって解決される。制御局は、取得手段と、選択手段と、制御手段とを備える。取得手段は、複数の移動端末の夫々の移動速度を示す速度情報を取得する。取得手段は、例えば移動端末や無線基地局から送信される速度情報を受信することで、速度情報を取得してもよい。速度情報は、移動速度を直接的に示していてもよいし、間接的に示していてもよい。選択手段は、複数の移動端末のうち速度情報が示す移動速度が所定の第１基準を満たす移動端末を選択する。調整手段は、選択手段によって選択された移動端末がセルの対象外となる（つまり、セルの範囲外に位置するように）無線基地局の動作を制御する。無線基地局の動作の制御の態様の一例としては、無線基地局の送信電力の調整があげられる。【０００７】
上記課題は、上述した制御局（つまり、取得手段と、選択手段と、制御手段とを備える制御局）によって解決される。【０００８】
上記課題は、複数の移動端末を収容するセルを備える無線基地局を制御する制御方法によって解決される。制御方法は、取得工程と、選択工程と、制御工程とを備える。取得工程では、上述した取得手段が行う動作と同様の動作が行われる。選択工程では、上述した選択手段が行う動作と同様の動作が行われる。制御工程では、上述した制御手段が行う動作と同様の動作が行われる。
【発明の効果】
【０００９】
以上説明した制御局によれば、無線基地局のセルから移動端末を対象外とする際に、移動端末の移動速度を考慮することができる。このため、例えば、相対的に高速な移動速度で移動する移動端末をセルの対象外とするための候補から除外することができる。従って、セルの対象外となった移動端末が再度元のセル内に戻って来てしまう状況が生じにくくなる。或いは、無線基地局の動作を制御しなくともセルの外に移動していくであろう（つまり、出ていくであろう）移動端末を、無線基地局の動作を敢えて制御することによってセルの対象外としなくともよくなる。従って、無線基地局の動作を制御する動作の有益性が低下してしまう又は当該動作が無駄な動作となってしまう不都合を抑制することができる。その結果、移動端末を、無線基地局が収容するセルの対象外とすることができる。【００１０】
また、以上説明した制御局及び制御方法によれば、上述した無線通信システムと同様の効果を享受することができる。
【図面の簡単な説明】
【００１１】
【図１】第１実施形態の無線通信システムの構成を示すブロック図である。
【図２】第１実施形態のＭＭＥの構成を示すブロック図である。
【図３】第１実施形態のｅＮＢの構成を示すブロック図である。
【図４】第１実施形態のＵＥの構成を示すブロック図である。
【図５】第１実施形態のＭＭＥの動作の流れの一例を示すフローチャートである。
【図６】第１実施形態のＭＭＥの動作の流れの一例を示すフローチャートである。
【図７】図６のステップＳ１４におけるセルから追い出すべきＵＥの候補を選択する動作例の流れを示すフローチャートである。
【図８】本実施形態のＭＭＥによって実現されるＵＥの追い出しの態様を示す模式図である。
【図９】移動速度を考慮することなく（つまり、図６のステップＳ１４３の動作を行わない）比較例のＭＭＥによって実現されるＵＥの追い出しの態様を示す模式図である。
【図１０】第２実施形態のＵＥの構成を示すブロック図である。
【図１１】第３実施形態のＵＥの構成を示すブロック図である。
【図１２】第３実施形態のＭＭＥの動作の流れの一例を示すフローチャートである。
【図１３】図１２のステップＳ３４におけるセルから追い出すべきＵＥの候補を選択する動作例の流れを示すフローチャートである。
【発明を実施するための最良の形態】
【００１２】
以下、本発明を実施するための最良の形態を、図面に基づいて説明する。【００１３】
（１）第１実施形態
第１実施形態の無線通信システム１についての説明を進める。以下の説明では、無線通信システムの一例として、ＬＴＥ（Ｌｏｎｇ  Ｔｅｒｍ  Ｅｖｏｌｕｔｉｏｎ）に準拠した携帯電話システムを用いて説明を進める。但し、ＬＴＥに準拠した携帯電話システム以外の各種無線通信システムに対して後述する実施形態を適用してもよい。【００１４】
（１−１）無線通信システムの構成
図１を参照して、第１実施形態の無線通信システム１の構成について説明する。図１は、第１実施形態の無線通信システム１の構成の一例を示すブロック図である。【００１５】
図１に示すように、第１実施形態の無線通信システム１は、ＭＭＥ（Ｍｏｂｉｌｉｔｙ  Ｍａｎａｇｅｍｅｎｔ  Ｅｎｔｉｔｙ）１０と、ｅＮＢ（ｅｖｏｌｖｅｄ  Ｎｏｄｅ  Ｂ）２０ａと、ｅＮＢ２０ｂと、ＵＥ（Ｕｓｅｒ  Ｅｑｕｉｐｍｅｎｔ）３０ａと、ＵＥ３０ｂと、ＵＥ３０ｃと、ＵＥ３０ｄと、ＵＥ３０ｅと、ＵＥ３０ｆと、ＵＥ３０ｇと、ＵＥ３０ｈと、ＵＥ３０ｉとを備えている。尚、図１に示すｅＮＢ２０の数及びＵＥ３０の数は一例であって、ｅＮＢ２０の数及びＵＥ３０の数が図１に示す個数に限定されることはない。また、以下では、説明の便宜上、ｅＮＢ２０ａ及びｅＮＢ２０ｂを区別することなく説明する場合には、“ｅＮＢ２０”と称して説明を進める。同様に、ＵＥ３０ａからＵＥ３０ｉを区別することなく説明する場合には、“ＵＥ３０”と称して説明を進める。【００１６】
ＭＭＥ１０は、パケット通信用のセッション（接続）の設定及び開放や、ＵＥ３０のモビリティの管理や、ハンドオーバーの制御を行う上位局である。本実施形態では、ＭＭＥ１０は、Ｓ１インタフェースを介してｅＮＢ２０から送信されるコントロールデータ（例えば、後述する受信電力データや、位置データや、移動速度データや、収容ＵＥ数データや、トラフィック量データ等）に基づいて、ｅＮＢ２０が収容しているセル２９の送信電力が調整される（或いは、セル２９の大きさないしは形状が変化する）ように、ｅＮＢ２０の動作を制御する。【００１７】
ｅＮＢ２０は、セル半径が概ね数ｋｍから十数ｋｍないしは数十ｋｍとなるセル２９（いわゆる、マクロセル）をカバーする基地局である。ｅＮＢ２０は、自身がカバーするセル２９中に位置するＵＥ３０との間で無線通信を行う。つまり、ｅＮＢ２０は、自身がカバーするセル２９中に位置するＵＥ３０との間で通信コネクションを確立すると共に、ＵＥ３０に対してデータの送受信を行う。また、ｅＮＢ２０は、Ｓ１インタフェースを介して、ＭＭＥ１０との間で通信を行う。【００１８】
ＵＥ３０は、自身がその内部に位置するセル２９に対応するｅＮＢ２０との間で通信コネクションを確立すると共に、データの送受信を行う移動端末である。ＵＥ３０は、ｅＮＢ２０（更には、ｅＮＢ２０の上位に接続されるＭＭＥ１０等の上位ノード）を介して、各種サービスないしはアプリケーション（例えば、メールサービスや、音声通話サービスや、ＷＥＢ閲覧サービスや、パケット通信サービス等）を利用することができる。ＵＥ３０として、例えば携帯電話や、ＰＤＡ（Personal Digital Assistant）や、その他無線通信機能を有する各種情報機器等が一例としてあげられる。【００１９】
尚、上述の説明では、セル半径が概ね数ｋｍから十数ｋｍないしは数十ｋｍとなるセル（いわゆる、マクロセル）２９をカバーするｅＮＢ２０が例示されているが、ｅＮＢ２０に加えて又は代えて、セル半径が概ね数百ｍから１ｋｍとなるセル（いわゆる、マイクロセル）をカバーする無線基地局や、セル半径が概ね数ｍから十数ｍないしは数十ｍとなるセル（いわゆる、フェムトセル）をカバーする無線基地局を配置してもよい。また、セル半径が上述したサイズ以外のセルをカバーする各種無線基地局を配置してもよい。【００２０】
（１−２）ＭＭＥの構成
図２を参照して、第１実施形態のＭＭＥ１０の構成について説明する。図２は、第１実施形態のＭＭＥ１０の構成を示すブロック図である。【００２１】
図２に示すように、ＭＭＥ１０は、データ処理部１７と、フレーマ部１８とを備えている。【００２２】
データ処理部１７は、例えばＣＰＵ（Central Processing Unit）等の中央情報処理部であり、ＭＭＥ１０全体の動作を制御する。データ処理部１７は、例えばその内部に実現される論理的な又は機能的な処理ブロックとして、コントロールデータ取得部１７１と、追い出し対象セル検出部１７２と、追い出しＵＥ選択部１７３と、制御命令指令部１７４とを備えている。【００２３】
コントロールデータ取得部１７１は、「取得手段」の一例であって、Ｓ１インタフェースを介してｅＮＢ２０から送信されるコントロールデータを取得する。コントロールデータの一例として、後述するように、ｅＮＢ２０のセル２９が収容しているＵＥ３０の数を示す収容ＵＥ数データや、ｅＮＢ２０が処理しているトラフィック量を示すトラフィック量データや、ＵＥ３０の移動速度を示す移動速度データ（例えば、フェージング周波数を示すデータ）や、ＵＥ３０の地理的位置を示す位置データや、ＵＥ３０の受信電力（或いは、ＵＥ３０の受信品質）を示す受信電力データがあげられる。コントロールデータ取得部１７１は、必要に応じて、取得したコントロールデータの一部又は全部を、追い出し対象セル検出部１７２や追い出しＵＥ選択部１７３に対して出力する。【００２４】
追い出し対象セル検出部１７２は、ＵＥ３０の追い出し（言い換えれば、ＵＥ３０をセル２９の対象外とする処理）を行うべきセル２９を検出する。つまり、追い出し対象セル検出部１７２は、ＵＥ３０の追い出しを行うために送信電力を調整するセル２９を検出する。追い出しを行うべきセル２９の検出は、例えばコントロールデータ取得部１７１が取得したコントロールデータの一部又は全部（例えば、収容ＵＥ数データやトラフィック量データ等）に基づいて行われる。【００２５】
追い出しＵＥ選択部１７３は、「選択手段」の一例であって、ＵＥ３０の追い出しを行うべきセル２９に収容されている複数のＵＥ３０のうち、実際にセル２９から追い出すべき一部のＵＥ３０を選択する。実際に追い出すべきＵＥ３０の選択は、例えばコントロールデータ取得部１７１が取得したコントロールデータの一部又は全部（例えば、移動速度データや、位置データや、受信電力データ等）に基づいて行われる。【００２６】
制御命令指令部１７４は、「制御手段」の一例であって、追い出し対象セル検出部１７２によって検出されたセル２９から、追い出しＵＥ選択部１７３によって選択されたＵＥ３０が追い出されるように、ｅＮＢ２０の動作を制御する制御命令をｅＮＢ２０に対して出力する。【００２７】
フレーマ部１８は、ＭＭＥ１０とｅＮＢ２０との間でのフレーム信号の送受信並びに当該フレーム信号の組み立て及び分解を行う。具体的には、フレーマ部１８は、フレーム分解部１８１とフレーム組立部１８２とを備えている。フレーム分解部１８１は、Ｓ１インタフェースを介してｅＮＢ２０から送信されるフレーム信号を受信する共に、当該受信したフレーム信号を分解する。フレーム分解部１８１は、分解したフレーム信号を、データ処理部１７に対して出力する。フレーム組立部１８２は、データ処理部１７から出力されるデータを用いてフレーム信号を組み立てると共に、Ｓ１インタフェースを介して、組み立てたフレーム信号をｅＮＢ２０に対して送信する。【００２８】
（１−３）ｅＮＢの構成
図３を参照して、第１実施形態のｅＮＢ２０の構成について説明する。図３は、第１実施形態のｅＮＢ２０の構成を示すブロック図である。【００２９】
図３に示すように、ｅＮＢ２０は、送信アンテナ２１と、受信アンテナ２２と、ＲＦ（Radio Frequency）部２３と、レイヤ１処理部２４と、レイヤ２処理部２５と、ＡＰＬ（Application）部２６と、レイヤ３処理部２７と、フレーマ部２８とを備えている。【００３０】
送信アンテナ２１は、ＲＦ部２３から出力される下りリンク信号を、ＵＥ３０に対して送信する。【００３１】
受信アンテナ２２は、ＵＥ３０から送信される上りリンク信号を受信する。受信アンテナ２２は、受信した上りリンク信号をＲＦ部２３へと出力する。【００３２】
ＲＦ部２３は、下りリンク信号の送信時には、レイヤ１処理部２４から出力されるベースバンド信号に対して無線送信処理（例えば、高周波信号への変換処理等）を施す。ＲＦ部２３は、無線送信処理が施されたベースバンド信号（つまり、下りリンク信号）を送信アンテナ２１へと出力する。ＲＦ部２３は、上りリンク信号の受信時には、受信アンテナ２２により受信された上りリンク信号に対して無線受信処理（例えば、ベースバンド信号への変換処理等）を施す。ＲＦ部２３は、無線受信処理が施された上りリンク信号（つまり、ベースバンド信号）をレイヤ１処理部２４へと出力する。【００３３】
レイヤ１処理部２４は、レイヤ１（物理レイヤ：ＰＨＹ）に関連する送受信処理を行う。具体的には、レイヤ１処理部２４は、復調部（ＤＥＭ（Ｄｅｍｏｄｕｌａｔｉｏｎ）部）２４１と、復号化部（ＤＥＣ（Ｄｅｃｏｄｉｎｇ）部）２４２と、符号化部（ＣＯＤ（Ｃｏｄｉｎｇ）部）２４３と、変調部（ＭＯＤ（Ｍｏｄｕｌａｔｉｏｎ）部）２４４と、フェージング周波数測定部２４５とを備えている。【００３４】
復調部２４１は、上りリンク信号の受信時に、ＲＦ部２３から出力されるベースバンド信号に対して、例えばＳＣ−ＦＤＭＡ方式（Single Carrier Frequency Division Multiple Access：単一キャリア周波数分割多重アクセス）に準拠した復調処理を行う。復調処理部２４１は、復調処理が行われた信号を、復号化部２４２へと出力する。【００３５】
復号化部２４２は、復調処理が行われた信号に対して復号化処理（例えば、ＨＡＲＱ合成処理やターボ復号化処理やＣＲＣ検証処理等）を行う。復号化処理部２４２は、復号化処理が行われた信号を、レイヤ２処理部２５へと出力する。【００３６】
符号化部２４３は、下りリンク信号の送信時に、レイヤ２処理部２５から出力される信号に対して符号化処理（例えば、ターボ符号化処理やＣＲＣ付与処理等）を行う。符号化処理部２４３は、符号化処理が行われた信号を、変調部２４４へと出力する。【００３７】
変調部２４４は、下りリンク信号の送信時に、符号化処理が行われた信号に対して、例えばＯＦＤＭＡ（Orthogonal Frequency Division Multiple Access：直交周波数分割多重アクセス）方式に準拠した変調処理を行う。変調処理部２４４は、変調処理が行われた信号を、ＲＦ部２３へと出力する。【００３８】
フェージング周波数測定部２４５は、ＵＥ３０のフェージング周波数を測定する。フェージング周波数測定部２４５は、測定したフェージング周波数を、レイヤ２処理部２５を介してレイヤ３処理部２７に対して出力する。尚、ＵＥ３０のレイヤ１処理部３４がフェージング周波数測定部３４５（図４参照）を備えている場合は、ｅＮＢ２０のレイヤ１処理部２４は、フェージング周波数測定部２４５を備えていなくともよい。逆に、ｅＮＢ２０のレイヤ１処理部２４がフェージング周波数測定部２４５を備えている場合は、ＵＥ３０のレイヤ１処理部３４は、フェージング周波数測定部３４５を備えていなくともよい。【００３９】
レイヤ２処理部２５は、レイヤ２（ＭＡＣ（Media Access Control：メディアアクセス制御）レイヤ）に関連する送受信処理を行うことで、ＡＰＬ部２６との間でユーザデータの送受信を行うと共にレイヤ３処理部２７との間でコントロールデータの送受信を行う。例えば、レイヤ２処理部２５は、ＭＡＣやＲＬＣ（Radio Link Control：無線リンク制御）やＰＤＣＰ（Packet Data Convergence Protocol：パケットデータ収束プロトコル）等のサブレイヤのフォーマットに合わせてデータの分離ないしは結合を行ったり、データの再送制御を行う。【００４０】
ＡＰＬ部２６は、ユーザデータを処理する上位レイヤに相当する。ＡＰＬ部２６は、必要に応じて、フレーマ部２８及びＳ１インタフェースを介して、ＭＭＥ１０との間でユーザデータの送受信を行ってもよい。或いは、ＡＰＬ部２６は、Ｘ２インタフェースを介して、他のｅＮＢ２０との間でユーザデータの送受信を行ってもよい。【００４１】
レイヤ３処理部２７は、レイヤ３（ＲＲＣ（Radio Resource Control）レイヤ）に関連する送受信処理を行う。具体的には、ＲＲＣ処理部２７は、ページングや呼の確立や呼の解放等の無線リソースの制御を行ってもよいし、ハンドオーバー等の接続切り替え制御を行ってもよい。【００４２】
本実施形態では更に、レイヤ３処理部２７は、ＵＥ数カウント部２７１とトラフィック量監視部２７２とを備えている。ＵＥ数カウント部２７１は、ｅＮＢ２０のセル２９が収容しているＵＥ３０の数をカウントする。ＵＥ数カウント部２７１は、カウントしたＵＥ３０の数を、コントロールデータの一部である収容ＵＥ数データとして、ＭＭＥ１０に対して送信する。トラフィック量監視部２７２は、ｅＮＢ２０が処理しているトラフィック量を監視する。トラフィック量監視部２７２は、監視しているトラフィック量を、コントロールデータの一部であるトラフィック量データとして、ＭＭＥ１０に対して送信する。加えて、レイヤ３処理部２７は、ＵＥ３０から送信される各種コントロールデータ（例えば、移動速度データや、位置データや、受信電力データ等）或いはフェージング周波数測定部２４５から出力されるフェージング周波数（つまり、移動速度データ）をＭＭＥ１０に対して送信する。【００４３】
フレーマ部２８は、ＭＭＥ１０とｅＮＢ２０との間でのフレーム信号の送受信並びに当該フレーム信号の組み立て及び分解を行う。具体的には、フレーマ部２８は、フレーム分解部２８１とフレーム組立部２８２とを備えている。フレーム分解部２８１は、Ｓ１インタフェースを介してＭＭＥ１０から送信されるフレーム信号を受信する共に、当該受信したフレーム信号を分解する。フレーム分解部２８１は、分解したフレーム信号を、ＡＰＬ部２６やレイヤ３処理部２７に対して出力する。フレーム組立部２８２は、ＡＰＬ部２６やレイヤ３処理部２７から転送されるデータを用いてフレーム信号を組み立てると共に、Ｓ１インタフェースを介して、組み立てたフレーム信号をＭＭＥ１０に対して送信する。【００４４】
（１−４）ＵＥの構成
図４を参照して、第１実施形態のＵＥ３０の構成について説明する。図４は、第１実施形態のＵＥ３０の構成を示すブロック図である。【００４５】
図４に示すように、ＵＥ３０は、送信アンテナ３１と、受信アンテナ３２と、ＲＦ部３３と、レイヤ１処理部３４と、レイヤ２処理部３５と、ＡＰＬ部３６と、レイヤ３処理部３７と、ＧＰＳ処理部３８とを備えている。【００４６】
送信アンテナ３１は、ＲＦ部３３から出力される上りリンク信号を、ｅＮＢ１０に対して送信する。【００４７】
受信アンテナ３２は、ｅＮＢ１０から送信される下りリンク信号を受信する。受信アンテナ３２は、受信した下りリンク信号をＲＦ部３３へと出力する。【００４８】
ＲＦ部３３は、上りリンク信号の送信時には、レイヤ１処理部３４から出力されるベースバンド信号に対して無線送信処理を施す。ＲＦ部３３は、無線送信処理が施されたベースバンド信号（つまり、上りリンク信号）を送信アンテナ３１へと出力する。ＲＦ部３３は、下りリンク信号の受信時には、受信アンテナ３２により受信された下りリンク信号に対して無線受信処理を施す。ＲＦ部３３は、無線受信処理が施された下りリンク信号（つまり、ベースバンド信号）をレイヤ１処理部３４へと出力する。【００４９】
レイヤ１処理部３４は、レイヤ１に関連する送受信処理を行う。具体的には、レイヤ１処理部３４は、復調部３４１と、復号処理部３４２と、符号化部３４３と、変調部３４４と、フェージング周波数測定部３４５と、受信レベル測定部３４６とを備えている。【００５０】
復調部３４１は、下りリンク信号の受信時に、例えばＯＦＤＭＡ方式に準拠した復調処理を行う。復調処理部３４１は、復調処理が行われた信号を、復号化部３４２へと出力する。【００５１】
復号化部３４２は、下りリンク信号の受信時に、復号化処理を行う。復号化処理部３４２は、復号化処理が行われた信号を、レイヤ２処理部３５へと出力する。【００５２】
符号化処理部３４３は、上りリンク信号の送信時に、レイヤ２処理部３５から出力される信号に対して符号化処理を行う。符号化処理部３４３は、符号化処理が行われた信号を、変調部３４４へと出力する。【００５３】
変調処理部３４４は、上りリンク信号の送信時に、符号化処理が行われた信号に対して、例えばＳＣ−ＦＤＭＡ方式に準拠した変調処理を行う。変調処理部３４４は、変調処理が行われた信号を、ＲＦ部３３へと出力する。【００５４】
フェージング周波数測定部３４５は、ＵＥ３０のフェージング周波数を測定する。フェージング周波数測定部３４５は、測定したフェージング周波数を、レイヤ２処理部３５を介してレイヤ３処理部３７に対して出力する。尚、フェージング周波数測定部３４５は、他のＵＥ３０が備えるフェージング周波数測定部３４５が測定するタイミングに同期して、フェージング周波数を測定してもよい。つまり、無線通信システム１が備える複数のＵＥ３０が備えるフェージング周波数測定部３４５は、同一の時間にフェージング周波数を測定してもよい。或いは、同一のセル２９に収容されている複数のＵＥ３０が備えるフェージング周波数測定部３４５は、同一の時間にフェージング周波数を測定してもよい。【００５５】
受信レベル測定部３４６は、ＵＥ３０の受信電力を測定する。第１実施形態では、受信レベル測定部３４６は、ＵＥ３０が接続している（つまり、接続中の）セル２９からの受信電力を測定する。但し、受信レベル測定部３４６は、接続中のセル２９に隣接する又は近接する他のセル２９（つまり、ＵＥ３０が接続していない周辺のセル２９）の受信電力を測定してもよい。受信レベル測定部３４６は、測定した受信電力を、レイヤ２処理部３５を介してレイヤ３処理部３７に対して出力する。或いは、受信レベル測定部３４６は、ＵＥ３０の受信電力を測定することに加えて又は代えて、ＵＥ３０の受信品質を測定してもよい。ＵＥ３０の受信品質としては、例えば、信号対干渉比（ＳＩＲ：Signal to Interference Ratio）や、ビットエラーレート（ＢＥＲ：Bit Error Rate）や、ブロックエラーレート（ＢＬＥＲ：Block Error Rate）が一例としてあげられる。尚、受信レベル測定部３４６は、他のＵＥ３０が備える受信レベル測定部３４６が測定するタイミングに同期して、受信電力を測定してもよい。つまり、無線通信システム１が備える複数のＵＥ３０が備える受信電力測定部３４６は、同一の時間に受信電力を測定してもよい。或いは、同一のセル２９に収容されている複数のＵＥ３０が備える受信電力測定部３４６は、同一の時間に受信電力を測定してもよい。【００５６】
レイヤ２処理部３５は、上述したレイヤ２処理部２５（図３参照）と同様に、レイヤ２に関連する送受信処理を行う。【００５７】
ＡＰＬ部３６は、上述したＡＰＬ部２６（図３参照）と同様に、ユーザデータを処理する上位レイヤに相当する。【００５８】
レイヤ３処理部３７は、上述したレイヤ３処理部２７（図３参照）と同様に、レイヤ３に関連する送受信処理を行う。本実施形態では更に、レイヤ３処理部３７は、各種コントロールデータ（例えば、フェージング周波数測定部３４５から出力されるフェージング周波数（つまり、移動速度データ）や、受信レベル測定部３４６から出力される受信電力（つまり、受信電力データ）や、ＧＰＳ処理部３８から出力される位置データ等）をｅＮＢ２０に対して送信する。【００５９】
ＧＰＳ処理部３８は、ＧＰＳ衛星からのＧＰＳ電波を受信することで、ＵＥ３０の地理的位置（例えば、緯度及び経度）を示す位置データを取得する。尚、ＧＰＳ処理部３８は、他のＵＥ３０が備えるＧＰＳ処理部３８がＧＰＳデータを取得するタイミングに同期して、ＧＰＳデータを取得してもよい。つまり、無線通信システム１が備える複数のＵＥ３０が備えるＧＰＳ処理部３８は、同一の時間にＧＰＳデータを測定してもよい。或いは、同一のセルに収容されている複数のＵＥ３０が備えるＧＰＳ処理部３８は、同一の時間にＧＰＳデータを測定してもよい。【００６０】
ＧＰＳ処理部３８は、ＧＰＳ受信部３８１と、ＧＰＳ復調部３８２と、ＧＰＳ復号化部３８３と、位置特定処理部３８４とを備える。【００６１】
ＧＰＳ受信部３８１は、ＧＰＳ衛星から送信されているＧＰＳ電波を受信する。ＧＰＳ受信部３８１は、受信したＧＰＳ電波に含まれるＧＰＳデータを、ＧＰＳ復調部３８２へと出力する。【００６２】
ＧＰＳ復調部３８２は、ＧＰＳ受信部３８１から出力されるＧＰＳデータに対して復調処理を行う。ＧＰＳ復調部３８２は、復調処理が行われたＧＰＳデータを、ＧＰＳ復号化部３８３へと出力する。【００６３】
ＧＰＳ復号化部３８３は、ＧＰＳ復調部３８２から出力されるＧＰＳデータに対して復号化処理を行う。ＧＰＳ復号化部３８３は、復号化処理が行われたＧＰＳデータを、位置特定処理部３８４へと出力する。【００６４】
位置特定処理部３８４は、ＧＰＳ復号化部３８３から出力されるＧＰＳデータに基づいて、当該ＧＰＳデータが示す地理的位置を特定する。位置特定処理部３８４は、特定した地理的位置を示す位置データを、レイヤ３処理部３７へと出力する。【００６５】
（１−５）動作説明
図５を参照して、第１実施形態の無線通信システム１が備えるＭＭＥ１０の動作について説明する。図５は、第１実施形態のＭＭＥ１０の動作の流れの一例を示すフローチャートである。【００６６】
図５に示すように、ＭＭＥ１０が備えるコントロールデータ取得部１７１は、ｅＮＢ２０を介してＵＥ３０から送信されている受信電力データ及び位置データを取得する（ステップＳ１０）。加えて、コントロールデータ取得部１７１は、ｅＮＢ２０を介してＵＥ３０から送信されている移動速度データを取得する（ステップＳ１１）。コントロールデータ取得部１７１は、取得した受信電力データ、位置データ及び移動速度データを、追い出しＵＥ選択部１７３へと出力する。【００６７】
コントロールデータ取得部１７１は、更に、ｅＮＢ２０から送信されている収容ＵＥ数データ及びトラフィック量データの少なくとも一方を取得する。コントロールデータ取得部１７１は、取得した収容ＵＥ数データ及びトラフィック量データの少なくとも一方を、追い出し対象セル検出部１７２へと出力する。【００６８】
追い出し対象セル検出部１７２は、ＭＭＥ１０の配下のｅＮＢ２０が収容しているセル２９毎に、接続ＵＥ数及びトラフィック量の少なくとも一方を算出する（ステップＳ１２）。ステップＳ１２における収容ＵＥ数及びトラフィック量の少なくとも一方の算出動作は、コントロールデータ取得部１７１から出力される収容ＵＥ数データ及びトラフィック量データの少なくとも一方に基づいて行われる。【００６９】
続いて、追い出し対象セル検出部１７２は、接続しているＵＥ３０の数（接続ＵＥ数）が多いセル２９が存在するか否かを判定する（ステップＳ１３）。より具体的には、追い出し対象セル検出部１７２は、接続ＵＥ数が所定の閾値ＴＨ＿Ｃｅｌｌ＿１（接続ＵＥ数に基づくセル検出用）よりも多いセル２９が存在するか否かを判定してもよい。尚、所定の閾値ＴＨ＿Ｃｅｌｌ＿１としては、セル２９内での安定的な通信が可能になる接続ＵＥ数の上限値が一例としてあげられる。或いは、追い出し対象セル検出部１７２は、接続ＵＥ数が、隣接する若しくは近接する他のセル２９（つまり、周辺のセル２９）と比較して相対的に多いセル２９が存在するか否かを判定してもよい。接続ＵＥ数が所定の閾値ＴＨ＿Ｃｅｌｌ＿１よりも多いセル２９が存在する又は周辺のセル２９と比較して接続ＵＥ数が相対的に多いセル２９が存在する場合には、接続ＵＥ数が多いセル２９が存在すると判定されてもよい。他方で、接続ＵＥ数が所定の閾値ＴＨ＿Ｃｅｌｌ＿１よりも多いセル２９が存在しない又は周辺のセル２９と比較して接続ＵＥ数が相対的に多いセル２９が存在しない場合には、接続ＵＥ数が多いセル２９が存在しないと判定されてもよい。【００７０】
或いは、追い出し対象セル検出部１７２は、接続ＵＥ数が多いセル２９が存在するか否かを判定することに加えて又は代えて、トラフィック量が多いセル２９が存在するか否かを判定してもよい（ステップＳ１３）。より具体的には、追い出し対象セル検出部１７２は、トラフィック量が所定の閾値ＴＨ＿Ｃｅｌｌ＿２（トラフィック量に基づくセル検出用）よりも多いセル２９が存在するか否かを判定してもよい。尚、所定の閾値ＴＨ＿Ｃｅｌｌ＿２としては、セル２９内での安定的な通信が可能になるトラフィック量の上限値が一例としてあげられる。或いは、追い出し対象セル検出部１７２は、トラフィック量が、隣接する若しくは近接する他のセル２９（つまり、周辺のセル２９）と比較して相対的に多いセル２９が存在するか否かを判定してもよい。トラフィック量が所定の閾値ＴＨ＿Ｃｅｌｌ＿２よりも多いセル２９が存在する又は周辺のセル２９と比較してトラフィック量が相対的に多いセル２９が存在する場合には、トラフィック量が多いセル２９が存在すると判定されてもよい。他方で、トラフィック量が所定の閾値ＴＨ＿Ｃｅｌｌ＿２よりも多いセル２９が存在しない又は周辺のセル２９と比較して接続ＵＥ数が相対的に多いセル２９が存在しない場合には、トラフィック量が多いセル２９が存在しないと判定されてもよい。【００７１】
ステップＳ１３の判定の結果、接続ＵＥ数が多いセル２９が存在せず且つトラフィック量が多いセル２９が存在しないと判定された場合には（ステップＳ１３：Ｎｏ）、ＭＭＥ１０は、ステップＳ１０以降の動作を繰り返す。【００７２】
他方で、ステップＳ１３の判定の結果、接続ＵＥ数が多いセル２９が存在するか又はトラフィック量が多いセル２９が存在すると判定された場合には（ステップＳ１３：Ｙｅｓ）、追い出しＵＥ選択部１７３は、接続ＵＥ数又はトラフィック量が多いセル２９に収容されている複数のＵＥ３０のうち、当該セル２９から追い出すべきＵＥ３０の候補を選択する（ステップＳ１４）。【００７３】
ここで、図６及び図７を参照して、セル２９から追い出すべきＵＥ３０の候補を選択する動作（図５のステップＳ１４）について更に詳細に説明する。図６は、図５のステップＳ１４におけるセル２９から追い出すべきＵＥ３０の候補を選択する第１の動作例の流れを示すフローチャートである。図７は、図５のステップＳ１４におけるセル２９から追い出すべきＵＥ３０の候補を選択する第２の動作例の流れを示すフローチャートである。【００７４】
図６に示すように、第１の動作例では、追い出しＵＥ選択部１７３は、接続ＵＥ数又はトラフィック量が多いセル２９に収容されている複数のＵＥ３０のうちのある１つのＵＥ３０の接続中のセル２９からの受信電力が小さいか否かを判定する（ステップＳ１４１）。ステップＳ１４１における受信電力に基づく判定動作は、コントロールデータ取得部１７１から出力される受信電力データを参照しながら行われる。より具体的には、追い出しＵＥ選択部１７３は、接続中のセル２９からの受信電力が所定の閾値ＴＨ＿ＵＥ＿１（接続中のセル２９の受信電力に基づくＵＥ選択用）よりも小さいか否かを判定してもよい。尚、所定の閾値ＴＨ＿ＵＥ＿１としては、安定的な通信が可能になる受信電力の下限値（或いは、許容値）が一例としてあげられる。或いは、追い出しＵＥ選択部１７３は、接続中のセル２９からの受信電力が、接続ＵＥ数又はトラフィック量が多いセル２９に収容されている複数のＵＥ３０のうちの選択されないその他のＵＥ３０の接続中のセル２９からの受信電力と比較して相対的に小さいか否かを判定してもよい。受信電力が所定の閾値ＴＨ＿ＵＥ＿１より小さい又はその他のＵＥ３０と比較して受信電力が相対的に小さい場合には、接続中のセル２９からの受信電力が小さいと判定されてもよい。他方で、受信電力が所定の閾値ＴＨ＿ＵＥ＿１より小さくない又はその他のＵＥ３０と比較して受信電力が相対的に小さくない場合には、接続中のセル２９からの受信電力が小さくないと判定されてもよい。【００７５】
ステップＳ１４１の判定の結果、接続中のセル２９からの受信電力が小さくないと判定された場合には（ステップＳ１４１：Ｎｏ）、当該ＵＥ３０は、追い出しの対象の候補からは除外される。この場合、追い出しＵＥ選択部１７３は、接続ＵＥ数又はトラフィック量が多いセル２９に収容されている複数のＵＥ３０の全てに対して、ステップＳ１４１からステップＳ１４３に至る一連の判定処理が行われているか否かを判定する（ステップＳ１４５）。【００７６】
ステップＳ１４５の判定の結果、複数のＵＥ３０の全てに対してステップＳ１４１からステップＳ１４３に至る一連の判定処理が行われていると判定された場合には（ステップＳ１４５：Ｙｅｓ）、追い出しＵＥ選択部１７３は動作を終了する。【００７７】
他方で、ステップＳ１４５の判定の結果、複数のＵＥ３０の全てに対してステップＳ１４１からステップＳ１４３に至る一連の判定処理が行われていないと判定された場合には（ステップＳ１４５：Ｎｏ）、追い出しＵＥ選択部１７３は、ステップＳ１４１からステップＳ１４３に至る一連の判定処理を行うべき次のＵＥ３０を指定する（ステップＳ１４６）。その後、追い出しＵＥ選択部１７３は、新たに指定したＵＥ３０を対象として、ステップＳ１４１以降の動作を繰り返す。【００７８】
他方で、ステップＳ１４１の判定の結果、接続中のセル２９からの受信電力が小さいと判定された場合には（ステップＳ１４１：Ｙｅｓ）、追い出しＵＥ選択部１７３は、ＵＥ３０が接続しているセル２９に隣接する又は近接する他のセル２９（つまり、周辺のセル２９）の近傍にＵＥ３０が位置しているか否かを判定する（ステップＳ１４２）。ステップＳ１４２におけるＵＥ３０の位置に基づく判定動作は、コントロールデータ取得部１７１から出力される位置データを参照しながら行われる。より具体的には、追い出しＵＥ選択部１７３は、ＵＥ３０が、周辺のセル２９から所定の閾値ＴＨ＿ＵＥ＿２（位置に基づくＵＥ選択用）以上離れているか否かを判定してもよい。尚、所定の閾値ＴＨ＿ＵＥ＿２としては、周辺のセル２９へのハンドオーバーを適切に行うことが可能な距離の上限値（或いは、許容値）が一例としてあげられる。或いは、追い出しＵＥ選択部１７３は、ＵＥ３０が、接続ＵＥ数又はトラフィック量が多いセル２９に収容されている複数のＵＥ３０のうちの選択されないその他のＵＥ３０と比較して、周辺のセル２９に相対的に近い位置にいるか否かを判定してもよい。ＵＥ３０が周辺のセル２９から所定の閾値ＴＨ＿ＵＥ＿２以上離れていない又はその他のＵＥ３０と比較して周辺のセル２９に相対的に近い位置にいる場合には、周辺のセル２９の近傍にＵＥ３０が位置していると判定されてもよい。他方で、ＵＥ３０が周辺のセル２９から所定の閾値ＴＨ＿ＵＥ＿２以上離れている又はその他のＵＥ３０と比較して周辺のセル２９に相対的に近い位置にいない場合には、周辺のセル２９の近傍にＵＥ３０が位置していないと判定されてもよい。【００７９】
ステップＳ１４２の判定の結果、周辺のセル２９の近傍にＵＥ３０が位置していないと判定された場合には（ステップＳ１４２：Ｎｏ）、当該ＵＥ３０は、追い出しの対象の候補からは除外される。この場合、追い出しＵＥ選択部１７３は、複数のＵＥ３０の全てに対してステップＳ１４１からステップＳ１４３に至る一連の判定処理が行われているか否かを判定する（ステップＳ１４５）。複数のＵＥ３０の全てに対してステップＳ１４１からステップＳ１４３に至る一連の判定処理が行われている場合には、追い出しＵＥ選択部１７３は動作を終了する。複数のＵＥ３０の全てに対してステップＳ１４１からステップＳ１４３に至る一連の判定処理が行われていない場合には、追い出しＵＥ選択部１７３は、新たに指定したＵＥ３０を対象として、ステップＳ１４１以降の動作を繰り返す。【００８０】
他方で、ステップＳ１４１の判定の結果、周辺のセル２９の近傍にＵＥ３０が位置していると判定された場合には（ステップＳ１４２：Ｙｅｓ）、追い出しＵＥ選択部１７３は、ＵＥ３０の移動速度が遅いか否かを判定する（ステップＳ１４３）。ステップＳ１４３における移動速度に基づく判定動作は、コントロールデータ取得部１７１から出力される移動速度データを参照しながら行われる。より具体的には、追い出しＵＥ選択部１７３は、ＵＥ３０の移動速度が所定の閾値ＴＨ＿ＵＥ＿３（移動速度に基づくＵＥ選択用）よりも遅いか否かを判定してもよい。尚、所定の閾値ＴＨ＿ＵＥ＿３としては、セル２９から追い出されたＵＥ３０が短時間のうちに元のセル２９に再度戻ってくる程度の移動速度の値ないしはセル２９からの追い出しを行わなくともＵＥ３０が短時間のうちにセル２９から出ていく程度の移動速度が一例としてあげられる。或いは、追い出しＵＥ選択部１７３は、ＵＥ３０の移動速度が、接続ＵＥ数又はトラフィック量が多いセル２９に収容されている複数のＵＥ３０のうちの選択されないその他のＵＥ３０の移動速度と比較して相対的に遅いか否かを判定してもよい。移動速度が所定の閾値ＴＨ＿ＵＥ＿３より遅い又はその他のＵＥ３０と比較して移動速度が相対的に遅い場合には、ＵＥ３０の移動速度が遅いと判定されてもよい。他方で、移動速度が所定の閾値ＴＨ＿ＵＥ＿３より遅くない又はその他のＵＥ３０と比較して移動速度が相対的に遅くない場合には、ＵＥ３０の移動速度が遅くないと判定されてもよい。【００８１】
尚、本実施形態では、移動速度データはフェージング周波数を含んでいる。このため、追い出しＵＥ選択部１７３は、所定の演算式を用いて、フェージング周波数を移動速度に換算することが好ましい。【００８２】
ステップＳ１４３の判定の結果、ＵＥ３０の移動速度が遅くない（つまり、速い）と判定された場合には（ステップＳ１４３：Ｎｏ）、当該ＵＥ３０は、追い出しの対象の候補からは除外される。この場合、追い出しＵＥ選択部１７３は、複数のＵＥ３０の全てに対してステップＳ１４１からステップＳ１４３に至る一連の判定処理が行われているか否かを判定する（ステップＳ１４５）。複数のＵＥ３０の全てに対してステップＳ１４１からステップＳ１４３に至る一連の判定処理が行われている場合には、追い出しＵＥ選択部１７３は動作を終了する。複数のＵＥ３０の全てに対してステップＳ１４１からステップＳ１４３に至る一連の判定処理が行われていない場合には、追い出しＵＥ選択部１７３は、新たに指定したＵＥ３０を対象として、ステップＳ１４１以降の動作を繰り返す。【００８３】
他方で、ステップＳ１４３の判定の結果、ＵＥ３０の移動速度が遅いと判定された場合には（ステップＳ１４３：Ｙｅｓ）、追い出しＵＥ選択部１７３は、当該ＵＥ３０を、追い出しの対象の候補として選択する（ステップＳ１４４）。【００８４】
その後、追い出しＵＥ選択部１７３は、複数のＵＥ３０の全てに対してステップＳ１４１からステップＳ１４３に至る一連の判定処理が行われているか否かを判定する（ステップＳ１４５）。複数のＵＥ３０の全てに対してステップＳ１４１からステップＳ１４３に至る一連の判定処理が行われている場合には、追い出しＵＥ選択部１７３は動作を終了する。複数のＵＥ３０の全てに対してステップＳ１４１からステップＳ１４３に至る一連の判定処理が行われていない場合には、追い出しＵＥ選択部１７３は、新たに指定したＵＥ３０を対象として、ステップＳ１４１以降の動作を繰り返す。【００８５】
図７に示すように、第２の動作例は、第１動作例と比較して、ＵＥ３０の移動速度が遅いと判定された場合には（ステップＳ１４３：Ｙｅｓ）、ＵＥ３０のトラフィック量が大きいか否かの判定動作が更に行われるという点で異なっている。具体的には、第２動作例では、ＵＥ３０の移動速度が遅いと判定された場合には（ステップＳ１４３：Ｙｅｓ）、追い出しＵＥ選択部１７３は、ＵＥ３０のトラフィック量が大きい（多い）か否かを判定する（ステップＳ１４７）。ステップＳ１４７におけるトラフィック量に基づく判定動作は、コントロールデータ取得部１７１から出力されるトラフィック量データを参照しながら行われる。より具体的には、追い出しＵＥ選択部１７３は、ＵＥ３０のトラフィック量が所定の閾値ＴＨ＿ＵＥ＿４（トラフィック量に基づくＵＥ選択用）よりも大きいか否かを判定してもよい。尚、所定の閾値ＴＨ＿ＵＥ＿４としては、安定的な通信を行う又は他のＵＥ３０に対して悪影響を及ぼすことなく安定的な通信を行うことができるトラフィック量の上限値（或いは、許容値）が一例としてあげられる。或いは、追い出しＵＥ選択部１７３は、ＵＥ３０のトラフィック量が、接続ＵＥ数又はトラフィック量が多いセル２９に収容されている複数のＵＥ３０のうちの選択されないその他のＵＥ３０のトラフィック量と比較して相対的に大きいか否かを判定してもよい。トラフィック量が所定の閾値ＴＨ＿ＵＥ＿４より大きい又はその他のＵＥ３０と比較してトラフィック量が相対的に大きい場合には、ＵＥ３０のトラフィック量が大きいと判定されてもよい。トラフィック量が所定の閾値ＴＨ＿ＵＥ＿４より大きくない又はその他のＵＥ３０と比較してトラフィック量が相対的に大きくない場合には、ＵＥ３０のトラフィック量が大きくないと判定されてもよい。【００８６】
ステップＳ１４７の判定の結果、ＵＥ３０のトラフィック量が大きくないと判定された場合には（ステップＳ１４７：Ｎｏ）、当該ＵＥ３０は、追い出しの対象の候補からは除外される。この場合、追い出しＵＥ選択部１７３は、複数のＵＥ３０の全てに対してステップＳ１４１からステップＳ１４７に至る一連の判定処理が行われているか否かを判定する（ステップＳ１４５）。複数のＵＥ３０の全てに対してステップＳ１４１からステップＳ１４７に至る一連の判定処理が行われている場合には、追い出しＵＥ選択部１７３は動作を終了する。複数のＵＥ３０の全てに対してステップＳ１４１からステップＳ１４７に至る一連の判定処理が行われていない場合には、追い出しＵＥ選択部１７３は、新たに指定したＵＥ３０を対象として、ステップＳ１４１以降の動作を繰り返す。【００８７】
他方で、ステップＳ１４３の判定の結果、ＵＥ３０の移動速度が遅いと判定された場合には（ステップＳ１４３：Ｙｅｓ）、追い出しＵＥ選択部１７３は、当該ＵＥ３０を、追い出しの対象の候補として選択する（ステップＳ１４４）。【００８８】
再び図５において、追い出しＵＥ選択部１７３は、ステップＳ１４で選択したＵＥ３０の候補のうち、実際にセル２９から追い出すＵＥ３０を抽出する（ステップＳ１５）。具体的には、ステップＳ１４では、受信電力が小さく、周辺のセル２９が近く且つ移動速度が遅いＵＥ３０の全てが、追い出し対象の候補として選択される。一方で、候補として選択された全てのＵＥ３０が追い出されなくとも、ｅＮＢ２０のトラフィック量が適切な値になる可能性がある。言い換えれば、候補として選択されたＵＥ３０のうちの一部のＵＥ３０のみが追い出された場合であっても、ｅＮＢ２０のトラフィック量が適切な値になる可能性がある。従って、本実施形態では、追い出しＵＥ選択部１７３は、ｅＮＢ２０のトラフィック量が適切な値になる程度の数のＵＥ３０を、候補として選択されたＵＥ３０から抽出する。但し、候補として選択されたＵＥ３０の全てを追い出すように構成してもよい。【００８９】
続いて、制御命令指令部１７４は、追い出し対象セル検出部１７２によって検出されたセル２９から、追い出しＵＥ選択部１７３によって抽出されたＵＥ３０が追い出されるように、ｅＮＢ２０の動作を制御する制御命令をｅＮＢ２０に対して出力する（ステップＳ１６）。例えば、制御命令指令部１７４は、ｅＮＢ２０が収容しているセル２９の送信電力を調整する制御命令をｅＮＢ２０（具体的には、追い出し対象セル検出部１７２によって検出されたセル２９を収容するｅＮＢ２０及び当該セル２９の周辺のセル２９を収容するｅＮＢ２０）に対して出力してもよい。送信電力を調整する制御命令としては、例えば、ＵＥ３０が追い出される（つまり、追い出しによって収容するＵＥ３０の数が減る）セル２９を備えるｅＮＢ２０の共通チャネルの送信電力を下げる制御命令が一例としてあげられる。或いは、送信電力を調整する制御命令としては、ＵＥ３０が追い出されてくる（つまり、追い出しによって収容するＵＥ３０の数が増える）セル２９を備えるｅＮＢ２０の共通チャネルの送信電力を上げる制御命令が一例としてあげられる。或いは、送信電力を調整する制御命令としては、例えば、ＵＥ３０が追い出されるセル２９を備えるｅＮＢ２０の受信許可レベルを上げる制御命令が一例としてあげられる。或いは、送信電力を調整する制御命令としては、ＵＥ３０が追い出されてくるセル２９を備えるｅＮＢ２０の受信許可レベルを下げる制御命令が一例としてあげられる。【００９０】
尚、上述した説明では、ｅＮＢ２０（或いは、セル２９）の送信電力を調整することでＵＥ３０を追い出す例について説明している。しかしながら、その他の手法を用いてＵＥ３０を追い出してもよい。例えば、ＵＥ３０が追い出されるセル２９からＵＥ３０が追い出されてくるセル２９へのハンドオーバーを実行することで、ＵＥ３０を追い出してもよい。或いは、ｅＮＢ２０が備える送信アンテナ２１及び受信アンテナ２２のチルト角等を調整することでＵＥ３０を追い出してもよい。【００９１】
以上説明したＵＥ３０の追い出しの態様について、図８及び図９を参照しながら説明する。図８は、本実施形態のＭＭＥ１０によって実現されるＵＥ３０の追い出しの態様を示す模式図である。図９は、移動速度を考慮することなく（つまり、図６のステップＳ１４３の動作を行わない）比較例のＭＭＥによって実現されるＵＥ３０の追い出しの態様を示す模式図である。【００９２】
図８（ａ）に示すように、移動速度が相対的に遅いＵＥ３０ａ、ＵＥ３０ｂ、ＵＥ３０ｃ及びＵＥ３０ｄ、並びに移動速度が相対的に速いＵＥ３０ｅ、ＵＥ３０ｆ、ＵＥ３０ｇ及びＵＥ３０ｈを収容するセル２９ａが、ＵＥ３０の追い出しを行うべきセル２９として検出される例について説明する。また、ｅＮＢ２０ａが備えるセル２９ａが、ｅＮＢ２０ｂが収容するセル２９ｂ及びｅＮＢ２０ｃが収容するセル２９ｃの双方に隣接する例について説明する。尚、図８（ａ）中のＵＥ３０ｅ、ＵＥ３０ｆ、ＵＥ３０ｇ及びＵＥ３０ｈに付された矢印は、ＵＥ３０ｅ、ＵＥ３０ｆ、ＵＥ３０ｇ及びＵＥ３０ｈの移動方向を示している。【００９３】
本実施形態のＭＭＥ１０は、移動速度が相対的に速いＵＥ３０ｅ、ＵＥ３０ｆ、ＵＥ３０ｇ及びＵＥ３０ｈを、追い出しの対象の候補から除外する。つまり、本実施形態のＭＭＥ１０は、図８（ａ）に示すように、移動速度が相対的に遅いＵＥ３０ａ、ＵＥ３０ｂ、ＵＥ３０ｃ及びＵＥ３０ｄを、追い出しの対象の候補として選択する。従って、本実施形態では、図８（ｂ）に示すように、移動速度が相対的に遅いＵＥ３０ａ、ＵＥ３０ｂ、ＵＥ３０ｃ及びＵＥ３０ｄがセル２９ａから追い出されると共に周辺のセル２９ｂ内に移動するように、セル２９ａ及びセル２９ｂの夫々の送信電力が調整される。セル２９ａから出ていく方向に移動している移動速度が相対的に速いＵＥ３０ｅ及びＵＥ３０ｆは、ＭＭＥ１０の制御の下に行われるセル２９ａからのＵＥ３０の追い出しに関係なく、セル２９ａから自発的に出ていく。セル２９ａの中心部に向かう方向に移動している移動速度が相対的に速いＵＥ３０ｇ及びＵＥ３０ｈは、ＭＭＥ１０の制御の下に行われるセル２９ａからのＵＥ３０の追い出しに関係なく、セル２９ａ内にとどまることになる。【００９４】
移動速度を考慮することなく追い出しの対象の候補となるＵＥを選択する比較例のＭＭＥは、図９（ａ）に示すように、移動速度が相対的に速いＵＥ３０ｅ、ＵＥ３０ｆ、ＵＥ３０ｇ及びＵＥ３０ｈを、追い出しの対象の候補として選択しかねない。従って、比較例では、図９（ｂ）に示すように、移動速度が相対的に速いＵＥ３０ｅ、ＵＥ３０ｆ、ＵＥ３０ｇ及びＵＥ３０ｈが、セル２９ａから追い出されると共に周辺のセル２９ｃ内に移動するように、セル２９ａ及びセル２９ｃの夫々の送信電力が調整される。しかしながら、ＵＥ３０ｅ及びＵＥ３０ｆは、セル２９ａから出ていく方向に相対的に速い速度で移動している。このため、ＵＥ３０ｅ及びＵＥ３０ｆは、移動速度が速いがゆえに、ＭＭＥの制御の下に行われるセル２９ａからのＵＥ３０ｅ及びＵＥ３０ｆの追い出しが行われなくとも、近いうちにセル２９ａから自発的に出ていくことが予想される。一方で、ＵＥ３０ｈ及びＵＥ３０ｈは、セル２９ａの中心部に向かう方向に相対的に速い速度で移動している。このため、ＵＥ３０ｇ及びＵＥ３０ｈは、移動速度が相対的に速いがゆえに、ＭＭＥの制御の下にセル２９ａからの追い出しを行った後に、再度セル２９ａ内に侵入することが想定される。このようなＵＥ３０ｅ、ＵＥ３０ｆ、ＵＥ３０ｇ及びＵＥ３０ｈの挙動は、ＵＥ３０の追い出しの有益性を低下させたり或いはＵＥ３０の追い出しを無駄な動作にしてしまいかねない。【００９５】
しかるに、本実施形態では、上述したように、移動速度が相対的に速いＵＥ３０ｅ、ＵＥ３０ｆ、ＵＥ３０ｇ及びＵＥ３０ｈが、追い出しの対象の候補から除外される。言い換えれば、移動速度が相対的に遅いＵＥ３０ａ、ＵＥ３０ｂ、ＵＥ３０ｃ及びＵＥ３０ｄが、追い出しの対象の候補として選択される。従って、本実施形態によれば、比較例において生ずる不都合は生じにくくなる又は殆ど若しくは全く生じない。このように、本実施形態によれば、ＵＥ３０の移動速度を考慮してセル２９からのＵＥ３０の追い出しが行われるため、ＵＥ３０の追い出しを適切に行うことができる。【００９６】
本実施形態では、移動速度が絶対的に遅い（つまり、所定閾値ＴＨ＿ＵＥ＿３よりも遅い）又は相対的に遅い（つまり、他のＵＥ３０の移動速度よりも遅い）ＵＥ３０を追い出しの対象の候補として選択することができる。このため、移動速度を適切に考慮したＵＥ３０の追い出しを行うことができる。【００９７】
本実施形態では、受信電力を考慮して、追い出しの対象の候補となるＵＥ３０を選択することができる。例えば、接続中のセル２９からの受信電力が小さいＵＥ３０を追い出しの対象の候補として選択することができる。言い換えれば、接続中のセル２９からの受信電力が小さくないＵＥ３０を追い出しの対象の候補から除外することができる。このため、周辺のセル２９内に移動する（つまり、周辺のセル２９に接続し直す）ことで受信電力が向上する可能性が高いＵＥ３０を、セル２９から追い出すことができる。【００９８】
本実施形態では、接続中のセル２９からの受信電力が絶対的に小さい（つまり、所定閾値ＴＨ＿ＵＥ＿１よりも小さい）又は相対的に小さい（つまり、他のＵＥ３０の受信電力よりも小さい）ＵＥ３０を追い出しの対象の候補として選択することができる。このため、受信電力を適切に考慮したＵＥ３０の追い出しを行うことができる。【００９９】
本実施形態では、ＵＥ３０の位置（例えば、周辺のセル２９に近い位置にＵＥ３０がいるか否か）を考慮して、追い出しの対象の候補となるＵＥ３０を選択することができる。例えば、周辺のセル２９に近いＵＥ３０を追い出しの対象の候補として選択することができる。言い換えれば、周辺のセル２９に近くないＵＥ３０を追い出しの対象の候補から除外することができる。このため、周辺のセル２９内に移動させやすいＵＥ３０を、セル２９から追い出すことができる。【０１００】
本実施形態では、周辺のセル２９の絶対的に近い位置にいる（つまり、周辺のセル２９から所定閾値ＴＨ＿ＵＥ＿２以上離れていない）又は相対的に近い位置にいる（つまり、他のＵＥ３０よりも近い位置にいる）ＵＥ３０を追い出しの対象の候補として選択することができる。このため、ＵＥ３０の位置を適切に考慮したＵＥ３０の追い出しを行うことができる。【０１０１】
本実施形態では、トラフィック量を考慮して、追い出しの対象の候補となるＵＥ３０を選択することができる。例えば、トラフィック量が大きいＵＥ３０を追い出しの対象の候補として選択することができる。言い換えれば、トラフィック量が大きくないＵＥ３０を追い出しの対象の候補から除外することができる。このため、トラフィックが集中しているセル２９の負荷を適切に下げる（つまり、トラフィックの均一化を適切に図る）ことができるように、ＵＥ３０をセル２９から追い出すことができる。【０１０２】
尚、上述の説明では、移動速度を示す移動速度データとして、フェージング周波数を用いる例を示している。しかしながら、移動速度を直接的に又は間接的に示すことができるその他の各種パラメータを用いてもよい。例えば、ＵＥ３０が過去にｅＮＢ２０をまたがって移動した回数（言い換えれば、セル２９をまたがって移動した回数）を、移動速度データとして用いてもよい。ＵＥ３０が過去にｅＮＢ２０をまたがって移動した回数を用いれば、当該回数が多いほどＵＥ３０の移動速度が速いと推定することができる。【０１０３】
（２）第２実施形態
図１０を参照して、第２実施形態の無線通信システムについて説明を進める。第２実施形態の無線通信システムでは、第１実施形態の無線通信システム１と比較して、ＵＥ３０の構成が異なっている。従って、以下では、説明の簡略化のために、第１実施形態と異なる構成に着目して説明を進めると共に、第１実施形態の無線通信システム１と同一の構成については、同一の参照符号を付してその詳細な説明については省略する。【０１０４】
図１０に示すように、第２実施形態のＵＥ４０は、第１実施形態のＵＥ３０と同様に、送信アンテナ３１と、受信アンテナ３２と、ＲＦ部３３と、レイヤ１処理部４４と、レイヤ２処理部３５と、ＡＰＬ部３６と、レイヤ３処理部３７とを備えている。第２実施形態のＵＥ４０が備えるレイヤ１処理部４４は、第１実施形態のＵＥ３０が備えるレイヤ１処理部３４と同様に、復調部３４１と、復号処理部３４２と、符号化部３４３と、変調部３４４と、フェージング周波数測定部３４５と、受信レベル測定部３４６とを備えている。【０１０５】
第２実施形態のＵＥ４０は、第１実施形態のＵＥ３０と比較して、ＧＰＳ処理部３８を備えていないという点で異なっている。更に、第２実施形態のＵＥ４０は、第１実施形態のＵＥ３０と比較して、レイヤ１処理部４４が基地局間時間差測定部４４７を備えているという点で異なっている。【０１０６】
基地局間時間差測定部４４７は、複数のｅＮＢ２０から受信する信号の時間差（例えば、パイロット信号ないしは同期信号を受信するタイミングの差分）を測定する。基地局間時間差測定部４４７は、測定した時間差を示す時間差データを、レイヤ２処理部３５を介してレイヤ３処理部３７に対して出力する。レイヤ３処理部３７は、時間差データを、コントロールデータとしてｅＮＢ２０に対して送信する。【０１０７】
ｅＮＢ２０が備えるレイヤ３処理部２７は、受信した時間差データを、コントロールデータとしてＭＭＥ１０に対して送信する。ＭＭＥ１０が備える追い出しＵＥ選択部１７３は、時間差データを位置データとして用いる。つまり、第２実施形態では、ＧＰＳを用いてＵＥ３０の位置を測定することに代えて、ＵＥ３０が複数のｅＮＢ２０から受信する信号の時間差を用いてＵＥ３０の位置を測定している。このように構成しても、このように構成しても、上述した各種効果を好適に享受することができる。【０１０８】
加えて、第２実施形態によれば、ＵＥ３０がＧＰＳ処理部３８を備えていなくともよい。このため、ＵＥ３０の構成を相対的に簡略化することができる。【０１０９】
（３）第３実施形態
図１１から図１３を参照して、第３実施形態の無線通信システムについて説明を進める。第３実施形態の無線通信システムでは、第１実施形態の無線通信システム１と比較して、ＵＥ３０の構成及びＭＭＥ１０の動作が異なっている。従って、以下では、説明の簡略化のために、第１実施形態と異なる構成及び動作に着目して説明を進めると共に、第１実施形態の無線通信システム１と同一の構成及び動作については、同一の参照符号を付してその詳細な説明については省略する。【０１１０】
（３−１）ＵＥの構成
図１１を参照して、第３実施形態の無線通信システムが備えるＵＥ５０の構成について説明する。図１１は、第３実施形態のＵＥ５０の構成を示すブロック図である。【０１１１】
図１１に示すように、第３実施形態のＵＥ５０は、第１実施形態のＵＥ３０と比較して、ＧＰＳ処理部３８を備えていないという点で異なっている。第３実施形態のＵＥ５０のその他の構成は、第１実施形態のＵＥ３０と同様であってもよい。【０１１２】
（３−２）動作説明
図１２を参照して、第３実施形態の無線通信システムが備えるＭＭＥ１０の動作について説明する。図１２は、第３実施形態のＭＭＥ１０の動作の流れの一例を示すフローチャートである。【０１１３】
図１２に示すように、ＭＭＥ１０が備えるコントロールデータ取得部１７１は、ｅＮＢ２０を介してＵＥ３０から送信されている受信電力データ及び移動速度データを取得する（ステップＳ３０及びステップＳ１１）。つまり、第３実施形態は、第１実施形態と比較して、コントロールデータ取得部１７１が位置データを取得しないという点で異なっている。更に、第３実施形態では、受信電力データは、接続中のセル２９からの受信電力に加えて接続中のセル２９に隣接する又は近接する他のセル２９（つまり、周辺のセル２９）からの受信電力も示している。【０１１４】
追い出し対象セル検出部１７２は、ＭＭＥ１０の配下のｅＮＢ２０が収容しているセル２９毎に、接続ＵＥ数及びトラフィック量の少なくとも一方を算出すると共に（ステップＳ１２）、接続ＵＥ数が多いセル２９が存在するか否かを判定する（ステップＳ１３）。【０１１５】
ステップＳ１３の判定の結果、接続ＵＥ数が多いセル２９が存在せず且つトラフィック量が多いセル２９が存在しないと判定された場合には（ステップＳ１３：Ｎｏ）、ＭＭＥ１０は、ステップＳ３０以降の動作を繰り返す。【０１１６】
他方で、ステップＳ１３の判定の結果、接続ＵＥ数が多いセル２９が存在するか又はトラフィック量が多いセル２９が存在すると判定された場合には（ステップＳ１３：Ｙｅｓ）、追い出しＵＥ選択部１７３は、接続ＵＥ数又はトラフィック量が多いセル２９に収容されている複数のＵＥ３０のうち、当該セル２９から追い出すべきＵＥ３０の候補を選択する（ステップＳ３４）。【０１１７】
ここで、図１３を参照して、セル２９から追い出すべきＵＥ３０の候補を選択する動作（図１２のステップＳ３４）について更に詳細に説明する。図１３は、図１２のステップＳ３４におけるセル２９から追い出すべきＵＥ３０の候補を選択する動作例の流れを示すフローチャートである。【０１１８】
図１３に示すように、追い出しＵＥ選択部１７３は、接続ＵＥ数又はトラフィック量が多いセル２９に収容されている複数のＵＥ３０のうちのある１つのＵＥ３０の接続中のセル２９からの受信電力が小さいか否かを判定する（ステップＳ１４１）。【０１１９】
ステップＳ１４１の判定の結果、接続中のセル２９からの受信電力が小さくないと判定された場合には（ステップＳ１４１：Ｎｏ）、当該ＵＥ３０は、追い出しの対象の候補からは除外される。この場合、追い出しＵＥ選択部１７３は、複数のＵＥ３０の全てに対してステップＳ１４１からステップＳ１４３に至る一連の判定処理が行われているか否かを判定する（ステップＳ１４５）。複数のＵＥ３０の全てに対してステップＳ１４１からステップＳ１４３に至る一連の判定処理が行われている場合には、追い出しＵＥ選択部１７３は動作を終了する。複数のＵＥ３０の全てに対してステップＳ１４１からステップＳ１４３に至る一連の判定処理が行われていない場合には、追い出しＵＥ選択部１７３は、新たに指定したＵＥ３０を対象として、ステップＳ１４１以降の動作を繰り返す。【０１２０】
他方で、ステップＳ１４１の判定の結果、接続中のセル２９からの受信電力が小さいと判定された場合には（ステップＳ１４１：Ｙｅｓ）、追い出しＵＥ選択部１７３は、対象となっているＵＥ３０の周辺のセル２９からの受信電力が大きいか否かを判定する（ステップＳ３４２）。ステップＳ３４２における受信電力に基づく判定動作は、コントロールデータ取得部１７１から出力される受信電力データを参照しながら行われる。より具体的には、追い出しＵＥ選択部１７３は、周辺のセル２９からの受信電力が所定の閾値ＴＨ＿ＵＥ＿５（周辺のセル２９の受信電力に基づくＵＥ選択用）よりも大きいか否かを判定してもよい。或いは、追い出しＵＥ選択部１７３は、周辺のセル２９からの受信電力が、接続ＵＥ数又はトラフィック量が多いセル２９に収容されている複数のＵＥ３０のうちの選択されないその他のＵＥ３０の周辺のセル２９からの受信電力と比較して相対的に大きいか否かを判定してもよい。受信電力が所定の閾値ＴＨ＿ＵＥ＿５より大きい又はその他のＵＥ３０と比較して受信電力が相対的に大きい場合には、周辺のセル２９からの受信電力が大きいと判定されてもよい。他方で、受信電力が所定の閾値ＴＨ＿ＵＥ＿５より大きくない又はその他のＵＥ３０と比較して受信電力が相対的に大きくない場合には、周辺のセル２９からの受信電力が大きくないと判定されてもよい。【０１２１】
ステップＳ３４２の判定の結果、周辺のセル２９からの受信電力が大きくないと判定された場合には（ステップＳ３４２：Ｎｏ）、当該ＵＥ３０は、追い出しの対象の候補からは除外される。この場合、追い出しＵＥ選択部１７３は、複数のＵＥ３０の全てに対してステップＳ１４１からステップＳ１４３に至る一連の判定処理が行われているか否かを判定する（ステップＳ１４５）。複数のＵＥ３０の全てに対してステップＳ１４１からステップＳ１４３に至る一連の判定処理が行われている場合には、追い出しＵＥ選択部１７３は動作を終了する。複数のＵＥ３０の全てに対してステップＳ１４１からステップＳ１４３に至る一連の判定処理が行われていない場合には、追い出しＵＥ選択部１７３は、新たに指定したＵＥ３０を対象として、ステップＳ１４１以降の動作を繰り返す。【０１２２】
他方で、ステップＳ３４２の判定の結果、周辺のセル２９からの受信電力が大きいと判定された場合には（ステップＳ３４２：Ｙｅｓ）、追い出しＵＥ選択部１７３は、ＵＥ３０の移動速度が遅いか否かを判定する（ステップＳ１４３）。【０１２３】
ステップＳ１４３の判定の結果、ＵＥ３０の移動速度が遅くない（つまり、速い）と判定された場合には（ステップＳ１４３：Ｎｏ）、当該ＵＥ３０は、追い出しの対象の候補からは除外される。この場合、追い出しＵＥ選択部１７３は、複数のＵＥ３０の全てに対してステップＳ１４１からステップＳ１４３に至る一連の判定処理が行われているか否かを判定する（ステップＳ１４５）。複数のＵＥ３０の全てに対してステップＳ１４１からステップＳ１４３に至る一連の判定処理が行われている場合には、追い出しＵＥ選択部１７３は動作を終了する。複数のＵＥ３０の全てに対してステップＳ１４１からステップＳ１４３に至る一連の判定処理が行われていない場合には、追い出しＵＥ選択部１７３は、新たに指定したＵＥ３０を対象として、ステップＳ１４１以降の動作を繰り返す。【０１２４】
他方で、ステップＳ１４３の判定の結果、ＵＥ３０の移動速度が遅いと判定された場合には（ステップＳ１４３：Ｙｅｓ）、追い出しＵＥ選択部１７３は、当該ＵＥ３０を、追い出しの対象の候補として選択する（ステップＳ１４４）。【０１２５】
その後、追い出しＵＥ選択部１７３は、複数のＵＥ３０の全てに対してステップＳ１４１からステップＳ１４３に至る一連の判定処理が行われているか否かを判定する（ステップＳ１４５）。複数のＵＥ３０の全てに対してステップＳ１４１からステップＳ１４３に至る一連の判定処理が行われている場合には、追い出しＵＥ選択部１７３は動作を終了する。複数のＵＥ３０の全てに対してステップＳ１４１からステップＳ１４３に至る一連の判定処理が行われていない場合には、追い出しＵＥ選択部１７３は、新たに指定したＵＥ３０を対象として、ステップＳ１４１以降の動作を繰り返す。【０１２６】
再び図１２において、追い出しＵＥ選択部１７３は、ステップＳ３４で選択したＵＥ３０の候補のうち、実際にセル２９から追い出すＵＥ３０を抽出する（ステップＳ１５）。続いて、制御命令指令部１７４は、追い出し対象セル検出部１７２によって検出されたセル２９から、追い出しＵＥ選択部１７３によって抽出されたＵＥ３０が追い出されるように、ｅＮＢ２０の動作を制御する制御命令をｅＮＢ２０に対して出力する（ステップＳ１６）。【０１２７】
以上説明したように、第３実施形態によれば、第１実施形態と同様に、ＵＥ３０の移動速度及び受信電力を適切に考慮したＵＥ３０の追い出しを行うことができる。【０１２８】
第３実施形態によれば、周辺のセル２９からの受信電力が大きくないＵＥ３０を、追い出しの対象の候補から除外することができる。ここで、周辺のセル２９からの受信電力が大きくないＵＥ３０は、周辺のセル２９の近傍に位置していないＵＥ３０であると推測できる。つまり、第３実施形態によれば、位置データに基づいて周辺のセル２９の近傍にＵＥ３０が位置しているか否かを判定する（図６のステップＳ１４２）ことに代えて、周辺のセル２９からの受信電力に基づいて周辺のセル２９の近傍にＵＥ３０が位置しているか否かを判定することができる。従って、第３実施形態によれば、位置データがＵＥ３０からＭＭＥ１０に対して送信されなくとも、第１実施形態と同様にＵＥ３０を適切に追い出すことができる。【０１２９】
尚、上述した第３実施形態の技術的な効果を考慮すれば、周辺のセル２９からの受信電力を判定する際に用いられる閾値ＴＨ＿ＵＥ＿５は、例えば、周辺のセル２９の境界からの距離と受信電力との関係を考慮した上で適切な値が設定されることが好ましい。【０１３０】
本発明は、上述した実施形態に限られるものではなく、請求の範囲及び明細書全体から読み取れる発明の要旨或いは思想に反しない範囲で適宜変更可能であり、そのような変更を伴う制御局及び制御方法、並びに無線通信システムもまた本発明の技術的範囲に含まれるものである。
【符号の説明】
【０１３１】
１  無線通信システム
１０  ＭＭＥ
１７  データ処理部
１７１  コントロールデータ取得部
１７２  追い出し対象セル検出部
１７３  追い出しＵＥ選択部
１７４  制御命令指令部
２０  ｅＮＢ
２４  レイヤ１処理部
２４５  フェージング周波数測定部
２７  レイヤ３処理部
２７１  ＵＥ数カウント部
２７２  トラフィック量監視部
３０、４０、５０  ＵＥ
３４、４４  レイヤ１処理部
３４５  フェージング周波数測定部
３４６  受信レベル測定部
４４７  基地局間時間差測定部
【図１】
2012020485.tif 000003
【図２】
2012020485.tif 000004
【図３】
2012020485.tif 000005
【図４】
2012020485.tif 000006
【図５】
2012020485.tif 000007
【図６】
2012020485.tif 000008
【図７】
2012020485.tif 000009
【図８】
2012020485.tif 000010
【図９】
2012020485.tif 000011
【図１０】
2012020485.tif 000012
【図１１】
2012020485.tif 000013
【図１２】
2012020485.tif 000014
【図１３】
2012020485.tif 000015
【国際調査報告】
2012020485.tif 000016
2012020485.tif 000017